【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
ステントを製造する方法であって、
第１の連続ワイヤを、長手方向軸線から離れる方向を向く外面を備え複数のセグメントによって複数の谷に連結された複数の山によって構成された正弦波形状を有する第１の周方向リングに形成するステップと、
第２の連続ワイヤを、長手方向軸線から離れる方向を向く外面を備え複数のセグメントによって複数の谷に連結された複数の山によって構成された正弦波形状を有する第２の周方向リングに形成するステップと、
前記第１のリングの山を変形させ、変形山部は非変形山部と一体化され且つ非変形山部が両側で側方に配置されるようにするステップと、を備え、
該変形山部が、i）両側に配置された前記非変形山部の外面の下方で窪んだ外面と、ii）前記第１のリングから離れて長手方向に突出し且つ前記第１の連続ワイヤの置換物質からなる延長部とを有しており、前記方法はさらに、
前記変形山部の延長部を、前記第２のリングの谷に、前記非変形山部を前記谷から離間させるようにして当接且つ連結するステップと、を備えている、
ことを特徴とする方法。
【請求項２】
前記変形させるステップは、前記変形山部を加工硬化させるステップを含む、
請求項１に記載の方法。
【請求項３】
前記変形山部のビッカース硬度値が、前記加工硬化させるステップの間に少なくとも約２０％増加する、
請求項２記載の方法。
【請求項４】
前記変形山部のビッカース硬度値が、前記加工硬化させるステップの間に約２０％から約４０％増加する、
請求項３に記載の方法。
【請求項５】
前記第２のリングの谷を変形させ、変形谷部が非変形谷部と一体化され且つ非変形谷部が変形谷部の両側で側方に配置されるようにするステップをさらに備え、
該変形谷部が、i）両側に配置された前記非変形谷部の外面の下方で窪んだ外面と、ii）前記第２のリングから離れて長手方向に突出し且つ前記第２の連続ワイヤの置換物質からなる延長部とを有しており、
前記当接かつ連結するステップは、前記第１のリングの前記変形山部の延長部を前記第２のリングの変形谷部の延長部に、前記非変形山部を前記非変形谷部から離間させるように、当接かつ連結させるステップを備えている、
請求項１に記載の方法。
【請求項６】
前記第２のリングの谷を前記変形させるステップは、前記変形谷部を加工硬化させるステップを含む、
請求項５に記載の方法。
【請求項７】
前記第２のリングの前記変形谷部のビッカース硬度値は、前記加工硬化させるステップの間に少なくとも約２０％増加する、
請求項６に記載の方法。
【請求項８】
前記第２のリングの前記変形谷部のビッカース硬度値は、前記加工硬化させるステップの間に約２０％から約４０％増加する、
請求項７に記載の方法。
【請求項９】
前記変形させるステップは、前記山部に工具を押し付けるステップを含む、
請求項１に記載の方法。
【請求項１０】
前記工具は、ポンチを含む、
請求項９に記載の方法。
【請求項１１】
前記工具は、ローラを含む、
請求項９に記載の方法。
【請求項１２】
前記連結するステップは、溶接するステップを含む、
請求項１に記載の方法。
【請求項１３】
ステントを製造する方法であって、
第１の連続ワイヤを、長手方向軸線から離れる方向を向く外面を備え複数のセグメントによって複数の谷に連結された複数の山によって構成された正弦波形状を有する第１の周方向リングに形成するステップと、
第２の連続ワイヤを、長手方向軸線から離れる方向を向く外面を備え複数のセグメントによって複数の谷に連結された複数の山によって構成された正弦波形状を有する第２の周方向リングに形成するステップと、
前記第１のリングの山を前記第２のリングの谷に連結するステップと、
前記山および谷の連結に続いて、連結された山および谷を変形させるステップであって、
変形山部は、非変形山部と一体化され且つ非変形山部が両側で側方に配置され、前記変形山部が、i）両側に配置された前記非変形山部の外面の下方で窪んだ外面と、ii）前記第１のリングから離れて長手方向に突出し且つ前記第１の連続ワイヤの置換物質からなる延長部とを有しており、
変形谷部は、非変形谷部と一体化され且つ非変形谷部が両側で側方に配置され、前記変形谷部が、i）両側に配置された前記非変形谷部の外面の下方で窪んだ外面と、ii）前記第１のリングから離れて長手方向に突出し且つ前記第２の連続ワイヤの置換物質からなる延長部とを有しており、
前記変形山部の延長部が、前記非変形山部を前記非変形谷部から離間させるように、前記山から突出して、前記谷から突出している前記変形谷部の延長部と当接している、ステップとを備えている、
ことを特徴とする方法。
【請求項１４】
前記変形させるステップは、加工硬化させるステップを含む、
請求項１３に記載の方法。
【請求項１５】
前記変形谷部のビッカース硬度値は、前記加工硬化させるステップの間に少なくとも約２０％増加する、
請求項１４に記載の方法。
【請求項１６】
前記変形谷部のビッカース硬度値は、前記加工硬化させるステップの間に約２０％から約４０％増加する、
請求項１５に記載の方法。
【請求項１７】
前記変形させるステップは、前記連結された山と谷に工具を押し付けるステップを含む、
請求項１６に記載の方法。
【請求項１８】
前記工具は、ポンチを含む、
請求項１７に記載の方法。
【請求項１９】
前記工具は、ローラを含む、
請求項１７に記載の方法。
【請求項２０】
前記連結するステップは、突き合わせ溶接、抵抗溶接、レーザ溶接、はんだ付け、および、ろう付けの一つを含む、
請求項１６に記載の方法。
【請求項２１】
ステントを製造する方法であって、
第１の連続ワイヤから形成され、長手方向軸線から離れる方向を向く外面を備え、複数のセグメントによって複数の谷に連結された複数の山によって構成された正弦波形状を有する第１の周方向リングと、
前記第１の周方向リングに長手方向に隣接して配置され、第２の連続ワイヤから形成され、長手方向軸線から離れる方向を向く外面を備え、複数のセグメントによって複数の谷に連結された複数の山によって構成された正弦波形状を有する第２の周方向リングと、
前記第１のリングの山を、前記第２のリングの谷に連結する連結部であって、前記連結された山と谷とが、非変形山部と一体化され且つ非変形山部が両側で側方に配置され、前記変形山部が、i）両側に配置された前記非変形山部の外面の下方で窪んだ外面と、ii）前記第１の連続ワイヤの物質からなる延長部とを有しており、
前記変形山部の延長部が、前記非変形山部を前記谷から離間させるように、前記山から突出して前記谷に当接している、
ことを特徴とするステント。
【請求項２２】
前記変形山部は、前記非変形山部のビッカース硬度値よりも、少なくとも約２０％高いビッカース硬度値を有する、
請求項２１に記載のステント。
【請求項２３】
前記変形山部は、前記非変形山部のビッカース硬度値よりも約２０％から約４０％高いビッカース硬度値を有する、
請求項２２に記載のステント。
【請求項２４】
前記第２のリングの連結された谷が、非変形谷部と一体化され且つ非変形谷部が両側で側方に配置された変形谷部であって、i）両側に配置された前記非変形谷部の外面の下方で窪んだ外面と、ii）前記第２の連続ワイヤの物質からなる延長部とを有している変形谷部を備え、
前記変形山部の延長部と前記変形谷部の延長部が、前記非変形山部が前記非変形谷部から離間するように、互いに向かって突出して当接している、
請求項２１に記載のステント。
【請求項２５】
前記第２のリングの前記変形谷部は、前記第２のリングの前記非変形谷部のビッカース硬度値よりも少なくとも約２０％高いビッカース硬度値を有する、
請求項２４に記載のステント。
【請求項２６】
前記第２のリングの前記変形谷部は、前記第２のリングの前記非変形谷部のビッカース硬度値よりも約２０％から約４０％高いビッカース硬度値を有する、
請求項２５に記載のステント。
【請求項２７】
前記連結部が、突き合わせ溶接、抵抗溶接、レーザ溶接、はんだ付け、および、ろう付けの一によって形成された接合部である、
請求項２１に記載のステント。